(57)【要約】【課題】ネットワークを介してカメラが撮像した撮像データを情報端末で表示するための通信システムにおいて、カメラが機能不全となったとしてもカメラが過去に撮像した撮像データを情報端末で表示することができるようにする。【解決手段】撮像データ蓄積装置３００において、受信手段３０２ｂは、カメラ２００からカメラ識別子と撮像データとを受信し、蓄積手段３０４は、受信したカメラ識別子と撮像データとを対応付けて蓄積し、受信手段３０２ｂはさらに、情報端末６００から端末識別子と、撮像データを要求する要求信号とを受信し、特定手段３０６ｄ、３０６ｅは、情報端末６００の端末識別子と対応付けられたカメラ識別子を識別子記憶手段３０３から特定し、さらに、特定したカメラ識別子と対応付けられた撮像データを蓄積手段３０４から特定し、送信手段３０２ａは、特定された撮像データを情報端末６００に送信する。【選択図】図２
2008177848.tif 000002
【特許請求の範囲】
【請求項１】
カメラ、サーバ、及び情報端末を含んで成る通信システムであって、
前記サーバは、
カメラを識別するためのカメラ識別子と、情報端末を識別するための端末識別子とを対応付けて記憶する識別子記憶手段と、
カメラの撮像データを、当該カメラを識別するためのカメラ識別子と対応付けて蓄積するための蓄積手段と、
前記情報端末から、当該情報端末の端末識別子と、撮像データの要求とを受信する受信手段と、
受信した端末識別子と対応付けられたカメラ識別子を前記識別子記憶手段から特定し、さらに、特定したカメラ識別子と対応付けられた撮像データを前記蓄積手段から特定する特定手段と、
特定した撮像データを、受信した端末識別子で識別される情報端末に送信する送信手段とを備え、
前記カメラは、
撮像する撮像手段と、
前記サーバに対して、自カメラを識別するためのカメラ識別子と、前記撮像手段で撮像した撮像データとを送信する送信手段とを備え、
前記情報端末は、
前記サーバに対して、自端末を識別するための端末識別子と、撮像データの要求を送信する送信手段と、
前記要求に応じて前記サーバから送られてくる撮像データを受信する受信手段と、
受信した撮像データを表示する表示手段とを備える
ことを特徴とする通信システム。
【請求項２】
前記カメラ、前記サーバ、及び前記情報端末はそれぞれインターネット網を介して接続されるものであり、
前記サーバと前記カメラとは、ルータを介して接続されている
ことを特徴とする請求項１記載の通信システム。
【請求項３】
ネットワークを介してカメラと情報端末とに接続可能であり、当該カメラの撮像データを蓄積するための撮像データ蓄積装置であって、
カメラを識別するためのカメラ識別子と、情報端末を識別するための端末識別子とを暫定的に又は正式に対応付けて記憶するための識別子記憶手段と、
カメラの撮像データを蓄積するための蓄積手段と、
前記識別子記憶手段の中から所定のカメラ識別子の特定、及び前記蓄積手段の中から所定の撮像データの特定を行う特定手段と、
受信手段と、
送信手段とを備え、
前記受信手段は、前記カメラから、当該カメラのカメラ識別子と撮像データとを受信し、
前記蓄積手段は、受信したカメラ識別子と撮像データとを対応付けて蓄積し、
前記受信手段はさらに、前記情報端末から、当該情報端末の端末識別子と、撮像データを要求する要求信号とを受信し、
前記特定手段は、受信した端末識別子と正式に対応付けられたカメラ識別子を前記識別子記憶手段から特定し、さらに、特定したカメラ識別子と対応付けられた撮像データを前記蓄積手段から特定し、
前記送信手段は、特定された撮像データを、受信した端末識別子の情報端末に送信することを特徴とする撮像データ蓄積装置。
【請求項４】
カメラ識別子と端末識別子とを暫定的に又は正式に対応付けて前記識別子記憶手段に記憶させる対応付け処理を行う対応付け手段と、
前記受信手段で受信したカメラ識別子と端末識別子とが、前記識別子記憶手段に暫定的に又は正式に対応付けられて記憶されているか否かを判定する判定手段とを備え、
前記受信手段がカメラ識別子と端末識別子とを受信したとき、前記判定手段により当該カメラ識別子と端末識別子とが暫定的にも正式にも対応付けられていないと判定された場合、前記対応付け手段は、当該カメラ識別子と端末識別子とを暫定的に対応付ける第１の対応付け処理を行い、
当該第１の対応付け処理後、暫定的に対応付けられたカメラ識別子で識別されるカメラから前記受信手段が撮像データを受信すると、前記送信手段は、受信した撮像データを、暫定的に対応付けられた端末識別子で識別される情報端末に送信し、
当該送信後、当該暫定的に対応付けられた端末識別子で識別される情報端末から前記受信手段が所定の信号を受信すると、前記対等付け手段は、暫定的に対応付けていたカメラ識別子と端末識別子とを正式に対応付ける第２の対応付け処理を行う
ことを特徴とする請求項３記載の撮像データ蓄積装置。
【請求項５】
さらに、前記対応付け手段が前記第１の対応付け処理を行ったとき計時を開始する計時手段を備え、
前記計時手段が所定の時間を計時し終えるまでに、前記受信手段が前記所定の信号を受信しない場合、前記対応付け手段は、暫定的に対応付けていたカメラ識別子と端末識別子との対応付けを解除する
ことを特徴とする請求項４記載の撮像データ蓄積装置。
【請求項６】
前記カメラは報知手段を有するものであり、
前記対応付け手段が前記第１の対付け処理を行った際、前記送信手段は、前記カメラに対し、前記報知手段により第１の態様で報知するよう指示する信号を送信し、
前記対応付け手段が前記第２の対応付け処理を行った際、前記送信手段は、前記カメラに対し、前記報知手段により第２の態様で報知するよう指示する信号を送信する
ことを特徴とする請求項３記載の撮像データ蓄積装置。
【請求項７】
ネットワークを介してカメラと情報端末とに接続可能であり、当該カメラの撮像データを蓄積するための撮像データ蓄積装置に、撮像データの送信処理を実行させるためのプログラムであって、
前記撮像データの送信処理は、
前記カメラを識別するためのカメラ識別子と、前記情報端末を識別するための端末識別子とを対応付けて記憶する第１ステップと、
前記カメラから、当該カメラのカメラ識別子と撮像データとを受信する第２ステップと、
受信したカメラ識別子と撮像データとを対応付けて蓄積する第３ステップと、
前記情報端末から、当該情報端末の端末識別子と、撮像データを要求する要求信号とを受信する第４ステップと、
受信した端末識別子と対応付けられたカメラ識別子を前記識別子記憶手段から特定し、さらに、特定したカメラ識別子と対応付けられた撮像データを前記蓄積手段から特定する第５ステップと、
特定された撮像データを、受信した端末識別子の情報端末に送信する第６ステップとを含む
ことを特徴とするプログラム。
【請求項８】
ネットワークを介してカメラと情報端末とに接続可能であり、当該カメラの撮像データを蓄積するための撮像データ蓄積装置における撮像データ送信方法であって、
前記カメラを識別するためのカメラ識別子と、前記情報端末を識別するための端末識別子とを対応付けて記憶する第１ステップと、
前記カメラから、当該カメラのカメラ識別子と撮像データとを受信する第２ステップと、
受信したカメラ識別子と撮像データとを対応付けて蓄積する第３ステップと、
前記情報端末から、当該情報端末の端末識別子と、撮像データを要求する要求信号とを受信する第４ステップと、
受信した端末識別子と対応付けられたカメラ識別子を前記識別子記憶手段から特定し、さらに、特定したカメラ識別子と対応付けられた撮像データを前記蓄積手段から特定する第５ステップと、
特定された撮像データを、受信した端末識別子の情報端末に送信する第６ステップとを含む
ことを特徴とする撮像データ送信方法。
【発明の詳細な説明】
【技術分野】
【０００１】
本発明は、ネットワークを介してカメラが撮像した撮像データを情報端末で表示するための通信システムに関する。また、本発明は、当該通信システムにおける撮像データ蓄積装置及び撮像データ送信方法に関する。
【背景技術】
【０００２】
近年、カメラで撮像した撮像データを、インターネット等のネットワークを介して遠隔地にある情報端末で表示することが可能となり、特定のカメラの撮像データを自分のＰＣ（Personal Computer：パソコン）や携帯電話機等で見ることができる通信システムが提供されている（特許文献１参照）。
このような通信システムは監視の目的で利用することができる。例えば、ユーザが自宅の部屋にカメラを設置し、端末を通じてカメラの撮像画像をチェックすることで部屋への侵入者を監視する、といった使い方が可能である。
【０００３】
また、例えば、ペットを飼っているユーザが、ペットのいる部屋にカメラを設置し、端末を通じてカメラの撮像画像をチェックすることでペットの行動を監視する、といった使い方も可能である。
特許文献１に記載の通信システムによれば、サーバ機能を有したカメラが、撮像データを契約された情報端末に送信するものである。このような通信システムの利用に際しては、カメラと情報端末との紐付けを行い、カメラの撮像データが、契約している情報端末以外の機器から見られることがないようになっている。
【特許文献１】特開２００３−１４３５７８号公報
【発明の開示】
【発明が解決しようとする課題】
【０００４】
ところが、上述したような通信システムでは、カメラ自体がサーバ機能で撮像データを送信するようになっているため、カメラが破壊された等の理由により機能不全となった場合、蓄積していた撮像データが消えてしまったり、ネットワークに接続できず撮像データを端末に送信することができなくなってしまったりする恐れがある。
例えば、カメラを設置していた部屋に侵入した侵入者がこのカメラを破壊してしまうことや、カメラを設置していた部屋にいたペットがこのカメラを壊してしまう、といったことが想定される。
【０００５】
このような事態が発生すると、契約していた端末から、カメラが過去に撮像した撮像データを見ることができなくなってしまうという問題がある。
そこで、本発明は、ネットワークを介してカメラが撮像した撮像データを情報端末で表示するための通信システムにおいて、カメラが機能不全となったとしてもカメラが過去に撮像した撮像データを情報端末で表示することができる技術を提供することを目的とする。
【課題を解決するための手段】
【０００６】
上記課題を解決するために、本発明の通信システムは、カメラ、サーバ、及び情報端末を含んで成る通信システムであって、前記サーバは、カメラを識別するためのカメラ識別子と、情報端末を識別するための端末識別子とを対応付けて記憶する識別子記憶手段と、カメラの撮像データを、当該カメラを識別するためのカメラ識別子と対応付けて蓄積するための蓄積手段と、前記情報端末から、当該情報端末の端末識別子と、撮像データの要求とを受信する受信手段と、受信した端末識別子と対応付けられたカメラ識別子を前記識別子記憶手段から特定し、さらに、特定したカメラ識別子と対応付けられた撮像データを前記蓄積手段から特定する特定手段と、特定した撮像データを、受信した端末識別子で識別される情報端末に送信する送信手段とを備え、前記カメラは、撮像する撮像手段と、前記サーバに対して、自カメラを識別するためのカメラ識別子と、前記撮像手段で撮像した撮像データとを送信する送信手段とを備え、前記情報端末は、前記サーバに対して、自端末を識別するための端末識別子と、撮像データの要求を送信する送信手段と、前記要求に応じて前記サーバから送られてくる撮像データを受信する受信手段と、受信した撮像データを表示する表示手段とを備えることを特徴とする。
【０００７】
また、上記課題を解決するために、本発明の撮像データ蓄積装置は、ネットワークを介してカメラと情報端末とに接続可能であり、当該カメラの撮像データを蓄積するための撮像データ蓄積装置であって、カメラを識別するためのカメラ識別子と、情報端末を識別するための端末識別子とを暫定的に又は正式に対応付けて記憶するための識別子記憶手段と、カメラの撮像データを蓄積するための蓄積手段と、前記識別子記憶手段の中から所定のカメラ識別子の特定、及び前記蓄積手段の中から所定の撮像データの特定を行う特定手段と、受信手段と、送信手段とを備え、前記受信手段は、前記カメラから、当該カメラのカメラ識別子と撮像データとを受信し、前記蓄積手段は、受信したカメラ識別子と撮像データとを対応付けて蓄積し、前記受信手段はさらに、前記情報端末から、当該情報端末の端末識別子と、撮像データを要求する要求信号とを受信し、前記特定手段は、受信した端末識別子と正式に対応付けられたカメラ識別子を前記識別子記憶手段から特定し、さらに、特定したカメラ識別子と対応付けられた撮像データを前記蓄積手段から特定し、前記送信手段は、特定された撮像データを、受信した端末識別子の情報端末に送信することを特徴とする。
【０００８】
また、上記課題を解決するために、本発明のプログラムは、ネットワークを介してカメラと情報端末とに接続可能であり、当該カメラの撮像データを蓄積するための撮像データ蓄積装置に、撮像データの送信処理を実行させるためのプログラムであって、前記撮像データの送信処理は、前記カメラを識別するためのカメラ識別子と、前記情報端末を識別するための端末識別子とを対応付けて記憶する第１ステップと、前記カメラから、当該カメラのカメラ識別子と撮像データとを受信する第２ステップと、受信したカメラ識別子と撮像データとを対応付けて蓄積する第３ステップと、前記情報端末から、当該情報端末の端末識別子と、撮像データを要求する要求信号とを受信する第４ステップと、受信した端末識別子と対応付けられたカメラ識別子を前記識別子記憶手段から特定し、さらに、特定したカメラ識別子と対応付けられた撮像データを前記蓄積手段から特定する第５ステップと、特定された撮像データを、受信した端末識別子の情報端末に送信する第６ステップとを含むことを特徴とする。
【０００９】
さらに、上記課題を解決するために、本発明の撮像データ送信方法は、ネットワークを介してカメラと情報端末とに接続可能であり、当該カメラの撮像データを蓄積するための撮像データ蓄積装置における撮像データ送信方法であって、前記カメラを識別するためのカメラ識別子と、前記情報端末を識別するための端末識別子とを対応付けて記憶する第１ステップと、前記カメラから、当該カメラのカメラ識別子と撮像データとを受信する第２ステップと、受信したカメラ識別子と撮像データとを対応付けて蓄積する第３ステップと、前記情報端末から、当該情報端末の端末識別子と、撮像データを要求する要求信号とを受信する第４ステップと、受信した端末識別子と対応付けられたカメラ識別子を前記識別子記憶手段から特定し、さらに、特定したカメラ識別子と対応付けられた撮像データを前記蓄積手段から特定する第５ステップと、特定された撮像データを、受信した端末識別子の情報端末に送信する第６ステップとを含むことを特徴とする。
【発明の効果】
【００１０】
上記構成により、カメラで撮像した撮像データを撮像データ蓄積装置が蓄積していき、カメラと対応した情報端末が、蓄積された撮像データを撮像データ蓄積装置から受信して表示することができる。これにより、たとえ設置されたカメラが破壊されたこと等により機能不全となったとしても、情報端末が、カメラが過去に撮像した撮像データを受信して表示することができる。
【００１１】
また、上記通信システムにおいて、前記カメラ、前記サーバ、及び前記情報端末はそれぞれインターネット網を介して接続されるものであり、前記サーバと前記カメラとは、ルータを介して接続されているようにしてもよい。
この構成により、カメラと撮像データ蓄積装置と情報端末とがインターネットを介して接続されているとき、ルータが、カメラのグローバルＩＰアドレスとプライベートＩＰアドレスとを相互交換する（ＮＡＴ（Network Access Translation）越えをする）。
【００１２】
また、上記撮像データ蓄積装置は、カメラ識別子と端末識別子とを暫定的に又は正式に対応付けて前記識別子記憶手段に記憶させる対応付け処理を行う対応付け手段と、前記受信手段で受信したカメラ識別子と端末識別子とが、前記識別子記憶手段に暫定的に又は正式に対応付けられて記憶されているか否かを判定する判定手段とを備え、前記受信手段がカメラ識別子と端末識別子とを受信したとき、前記判定手段により当該カメラ識別子と端末識別子とが暫定的にも正式にも対応付けられていないと判定された場合、前記対応付け手段は、当該カメラ識別子と端末識別子とを暫定的に対応付ける第１の対応付け処理を行い、当該第１の対応付け処理後、暫定的に対応付けられたカメラ識別子で識別されるカメラから前記受信手段が撮像データを受信すると、前記送信手段は、受信した撮像データを、暫定的に対応付けられた端末識別子で識別される情報端末に送信し、当該送信後、当該暫定的に対応付けられた端末識別子で識別される情報端末から前記受信手段が所定の信号を受信すると、前記対等付け手段は、暫定的に対応付けていたカメラ識別子と端末識別子とを正式に対応付ける第２の対応付け処理を行うようにしてもよい。
【００１３】
この構成により、撮像データ蓄積装置は、未対応のカメラと情報端末を初期登録する際に、先ずは暫定的に対応付けしておいて、情報端末へカメラの撮像データを送信後所定の応答があった場合にのみ正式に対応付けを行う。こうすることで、情報端末側でいったんカメラで撮像した撮像データを表示し、ユーザがカメラで撮影している物体と情報端末に表示している撮像データとの対応付けに問題がないか確認することができる。そして、カメラと情報端末との対応付けを確認した上で正式登録を望んだ場合に、応答することでカメラと情報端末との正式な対応付けを行うことができる。また、カメラの撮影データを確認した段階で、撮影された物体の映り方がユーザの望んだものと異なる場合、ユーザがカメラの画角や設置場所を調整してから、正式登録に進むことができる。
【００１４】
また、上記撮像データ蓄積装置は、さらに、前記対応付け手段が前記第１の対応付け処理を行ったとき計時を開始する計時手段を備え、前記計時手段が所定の時間を計時し終えるまでに、前記受信手段が前記所定の信号を受信しない場合、前記対応付け手段は、暫定的に対応付けていたカメラ識別子と端末識別子との対応付けを解除するようにしてもよい。
【００１５】
この構成により、カメラと情報端末とが暫定的に対応付けられた後、所定の時間内にユーザが応答すれば、正式な対応付けが行うことができ、もしユーザが撮像データを確認した上で正式な対応付けを望まない場合は、所定時間内に応答しないことで自動的に対応付けを放棄することができる。
また、上記撮像データ蓄積装置において、前記カメラは報知手段を有するものであり、前記対応付け手段が前記第１の対付け処理を行った際、前記送信手段は、前記カメラに対し、前記報知手段により第１の態様で報知するよう指示する信号を送信し、前記対応付け手段が前記第２の対応付け処理を行った際、前記送信手段は、前記カメラに対し、前記報知手段により第２の態様で報知するよう指示する信号を送信するようにしてもよい。
【００１６】
この構成により、カメラにＬＥＤ（Light Emitting Diode）等の報知手段が備わっている場合、撮像データ蓄積装置が、暫定的な対応付けのときと、正式な対応付けのときとで異なる報知をさせることができる。これにより、ユーザは、カメラの報知手段による報知を通じて、現在のカメラと情報端末の対応付け状況を確認することができる。
【発明を実施するための最良の形態】
【００１７】
以下、図面を参照しながら本発明の実施形態について説明していく。
（１．構成）
（１−１．通信システムの構成）
まず、図１〜４を参照しながら、本発明に係る通信システム、撮像データ蓄積装置、カメラ、及び情報端末の構成について説明する。
【００１８】
図１は、本発明に係る通信システムの構成を示す概略図である。
図１に示すように、本発明の通信システムは、インターネット網１００を介してカメラ２００、撮像データ蓄積装置３００、移動体通信制御局４００が接続されている。また、移動体通信制御局４００の先には、基地局５００及び情報端末６００が接続されている。
カメラ２００は、インターネット網１００に接続して撮像した撮像データを外部に送信する機能を有する。また、カメラ２００には、自カメラを識別するための固有のカメラ識別子が付与されている。
【００１９】
撮像データ蓄積装置３００は、インターネット網１００に接続し、カメラ２００が送信した撮像データを受信して蓄積する機能や、蓄積した撮像データを情報端末６００に送信する機能を有する。
移動体通信制御局４００は、情報端末６００の位置登録、発着信、ハンドオーバ等の移動体通信に係る制御を司る局であり、移動体通信網（図示しない）とインターネット網１００とのゲートウェイの機能を有する。
【００２０】
基地局５００は、情報端末６００が移動体通信を行うために無線接続する基地局である。
情報端末６００は、移動体通信制御局４００を介してインターネット網１００に接続する機能を有する。情報端末６００は、具体的には、携帯電話機、ＰＤＡ（Personal Digital Assistance）、ＰＣ（Personal Computer）等の機器として実現される。また、情報端末６００には、自端末を識別するための固有の端末識別子が付与されている。
（１−２．撮像データ蓄積装置３００の構成）
次に、撮像データ蓄積装置３００の構成について説明する。
【００２１】
図２は、撮像データ蓄積装置３００の構成を示すブロック図である。
図２に示すように、撮像データ蓄積装置３００は、ネットワークインターフェース３０１、通信部３０２、記憶部３０３、蓄積部３０４、計時部３０５、及び制御部３０６を備える。
ネットワークインターフェース３０１は、インターネット網１００に接続するためのインターフェースであり、例えば、Ｅｔｈｅｒｎｅｔ（登録商標）規格に準拠したインターフェースである。
【００２２】
通信部３０２は、撮像データ蓄積装置３００の通信処理を司り、送信部３０２ａ及び受信部３０２ｂを含む。
送信部３０２ａは、ネットワークインターフェース３０１を介して送信対象データを送信する送信処理を行う。具体的には、ＴＣＰ／ＩＰ（Transmission Control Protocol / Internet Protocol）に従い、送信対象データをパケット化してネットワークインターフェース３０１を介してインターネット網に送出する。
【００２３】
受信部３０２ｂは、ネットワークインターフェース３０１を介してデータを受信する受信処理を行う。具体的には、ＴＣＰ／ＩＰに従い、パケット化された受信データを展開して制御部３０６に送出する。
記憶部３０３は、撮像データ蓄積装置３００が行う各種処理に必要なデータを記憶するものであり、具体的には、例えばＲＡＭ（Random Access Memory）で実現される。記憶部３０３は特に、後述する、識別子対応付けテーブル１０を記憶している。
【００２４】
蓄積部３０４は、カメラ２００から送られてきた撮像データを、カメラ２００のカメラ識別子と対応付けて記憶していくものであり、具体的には、例えばＨＤＤ（Hard Disk Drive）で実現される。
計時部３０５は、所定の時間Ｔを計時するためのタイマーである。
制御部３０６は、各構成部３０１〜３０５を制御するためのものであり、具体的には、例えばＣＰＵ（Central Processing Unit）で実現される。制御部３０６は、特に、識別子対応付け部３０６ａ、判定部３０６ｂ、情報端末特定部３０６ｃ、カメラ特定部３０６ｄ、撮像データ特定部３０６ｅ、蓄積実行部３０６ｆ、通知部３０６ｇ、及び撮像データ送信指示部３０６ｈを含む。これら各部３０６ａ〜３０６ｈは、具体的には、コンピュータプログラムによって記述され実現される。
【００２５】
識別子対応付け部３０６ａは、カメラ２００に付与されているカメラ識別子と、情報端末６００に付与されている端末識別子とを対応付け、識別子対応付けテーブル１０を作成して記憶部３０３に記憶させる機能を有する。対応付けに際して、識別子対応付け部３０６ａは、カメラ識別子と端末識別子とを暫定的に対応付ける第１対応付け処理と、正式に対応付ける第２対応付け処理とのいずれかを実行する。
【００２６】
判定部３０６ｂは、通信部３０２からカメラ識別子と端末識別子とを受信した場合に、これらカメラ識別子と端末識別子とが識別子対応付けテーブル１０上で対応付けられているか否かを判定する機能を有する。
情報端末特定部３０６ｃは、通信部３０２からカメラ識別子を受信した場合に、このカメラ識別子と対応付けられた端末識別子を、識別子対応付けテーブル１０の中から検索して特定する機能を有する。
【００２７】
カメラ特定部３０６ｄは、通信部３０２から端末識別子を受信した場合に、この端末識別子と対応付けられたカメラ識別子を、識別子対応付けテーブル１０の中から検索して特定する機能を有する。
撮像データ特定部３０６ｅは、カメラ特定部３０６ｄで特定されたカメラ識別子と対応付けて記憶されている撮像データを検索して特定する機能を有する。
【００２８】
蓄積実行部３０６ｆは、通信部３０２から受信したカメラ識別子と撮像データとを対応付けて蓄積部３０４に蓄積させる機能を有する。
通知部３０６ｇは、識別子対応付け部３０６ａでカメラ識別子と端末識別子とが対応付け処理が実行されたときや、蓄積実行部３０６ｆで撮像データの記憶が実行されたときに、それらの旨の示す信号を生成して送信部３０２ａに送出する機能を有する。
【００２９】
撮像データ送信指示部３０６ｈは、情報端末６００から撮像データの要求を受けた場合に、撮像データ特定部３０６ｅで特定した撮像データを情報端末６００に送信するよう、撮像データを送信部３０２ａに送出する機能を有する。
（１−３．カメラ２００の構成）
次に、カメラ２００の構成について説明する。
【００３０】
図３は、カメラ２００の構成を示すブロック図である。
図３に示すように、カメラ２００は、ネットワークインターフェース２０１、通信部２０２、記憶部２０３、撮像部２０４、画像処理部２０５、報知部２０６、入力部２０７、及び制御部２０８を備える。
ネットワークインターフェース２０１は、インターネット網１００に接続するためのインターフェースであり、例えば、Ｅｔｈｅｒｎｅｔ（登録商標）規格に準拠したインターフェースである。
【００３１】
通信部２０２は、カメラ２００の通信処理を司り、送信部２０２ａ及び受信部２０２ｂを含む。
送信部２０２ａは、ネットワークインターフェース３０１を介して送信対象データを送信する送信処理を行う。具体的には、ＴＣＰ／ＩＰ（Transmission Control Protocol / Internet Protocol）に従い、送信対象データをパケット化してネットワークインターフェース３０１を介してインターネット網に送出する。
【００３２】
受信部２０２ｂは、ネットワークインターフェース３０１を介してデータを受信する受信処理を行う。具体的には、ＴＣＰ／ＩＰに従い、パケット化された受信データを展開して制御部２０８に送出する。
記憶部２０３は、カメラ２００が行う各種処理に必要なデータを記憶するものであり、特に、ＲＯＭ（Read Only Memory）２０３ａを含む。ＲＯＭ２０３ａはカメラ２００を固有に識別するカメラ識別子を記憶している。
【００３３】
撮像部２０４は、例えばＣＣＤ（Charge Coupled Device）やＣＭＯＳ（Complementary Metal Oxide Semiconductor）から成り、外部の光を電気信号に変換して画像処理部２０５に送出する機能を有する。
画像処理部２０５は、撮像部２０４から入力した電気信号をデジタル化して撮像データを生成する機能を有する。
【００３４】
報知部２０６は、例えばＬＥＤから成り、発光することによってユーザに報知を行うものであり、制御部２０８からの指示により複数の異なる態様で報知する機能を有する。
入力部２０７は、例えば押下可能なキー群から成り、ユーザのキー入力を受付けて制御部２０８に伝達する機能を有する。ユーザは、例えば、入力部２０７へのキー入力を通じて電源投入や撮像部２０４による撮像指示を行う。
【００３５】
制御部２０８は、各構成部２０１〜２０７を制御するためのものであり、具体的には、例えばＣＰＵで実現される。制御部２０８は、特に、契約状況問合せ部２０８ａ、報知指示部２０８ｂ、及び撮像データ送信指示部２０８ｃを含む。これら各部２０８ａ〜２０８ｃは、具体的には、コンピュータプログラムによって記述され実現される。
契約状況問合せ部２０８ａは、撮像データ蓄積装置３００に対して、自カメラのカメラ識別子と契約状況にある（正式に対応付けられている）情報端末６００が記憶部３０３に記憶されているか否か（契約状況）を問合せる信号を送信部２０２ａに送出する機能を有する。
【００３６】
報知指示部２０８ｂは、特定の態様で報知するよう報知部２０６に指示する機能を有する。
撮像データ送信指示部２０８ｃは、撮像部２０４で撮像し、画像処理部２０５で生成された撮像データを撮像データ蓄積装置３００宛に送信するよう、送信部２０２ａに送出する機能を有する。
【００３７】
ここで、カメラ２００については、カメラ識別子はＲＯＭ２０３ａに記憶されているだけでなく、カメラ２００本体又はカメラ２００の包装パッケージ等、ユーザが確認できる位置に記載されていることとする。
（１−４．情報端末６００の構成）
次に、情報端末６００の構成について説明する。
【００３８】
図４は、情報端末６００の構成を示すブロック図である。
図４に示すように、情報端末６００は、アンテナ６０１、通信部６０２、記憶部６０３、入力部６０４、表示部６０５、及び制御部６０６を備える。
アンテナ６０１は、無線通信を行うための電波の放射及び捕捉を行うものである。
通信部６０２は、情報端末６００の通信処理を司り、送信部６０２ａ及び受信部６０２ｂを含む。
【００３９】
送信部６０２ａは、アンテナ６０１を介して送信対象データを送信する送信処理を行う。具体的には、送信対象データの変調処理などを行う。
受信部６０２ｂは、アンテナ６０１を介してデータを受信する受信処理を行う。具体的には、受信データの復調処理などを行う。
記憶部６０３は、情報端末６００が行う各種処理に必要なデータを記憶するものであり、特に、ＲＯＭ６０３ａを含む。ＲＯＭ６０３ａは情報端末６００を固有に識別する端末識別子を記憶している。
【００４０】
入力部６０４は、例えば押下可能なキー群から成り、ユーザのキー入力を受付けて制御部６０６に伝達する機能を有する。
制御部６０６は、各構成部６０１〜６０５を制御するためのものであり、具体的には、例えばＣＰＵで実現される。制御部６０６は、特に、契約要求部６０６ａ、及び撮像データ要求部６０６ｂを含む。各部６０６ａ〜６０６ｂは、具体的には、コンピュータプログラムによって記述され実現される。
【００４１】
契約要求部６０６ａは、自端末の端末識別子とカメラ識別子とを対応付けて契約することを要求する信号を撮像データ蓄積装置３００宛てに送信するよう、送信部６０２ａに送出する機能を有する。
撮像データ要求部６０６ｂは、ＲＯＭ６０３ａ内の端末識別子とともに、撮像データを要求する信号を撮像データ蓄積装置３００に送信するために、送信部６０２ａに送出する機能を有する。
（２．データ）
次に、図５〜６を参照しながら、撮像データ蓄積装置３００の記憶部３０３に記憶される識別子対応付けテーブル１０と、蓄積部３０４に記憶される撮像データとについて説明する。
（２−１．識別子対応付けテーブル１０）
図５は、識別子対応付けテーブル１０のデータ構造を示す概略図である。
【００４２】
図５に示すように、識別子対応付けテーブル１０は、カメラ識別子、端末識別子、契約状況、及びフォルダの各欄から成る。
カメラ識別子欄には、カメラ識別子が記載されている。
端末識別子欄には、端末識別子が記載されている。
契約状況欄には、カメラ識別子と端末識別子との契約状況が記載されており、「１」は暫定的な契約（仮契約）を示し、「２」は正式な契約（本契約）を示す。
【００４３】
フォルダ欄には、カメラ識別子と対応付けられた、蓄積部３０４内のフォルダが記載されている。
図５に示す例では、カメラ識別子「０００１」と端末識別子「ＡＡＡ」とは正式に契約されており、対応するフォルダは「Ｆ０００１」である。カメラ識別子「０００２」と端末識別子「ＣＣＣ」とは正式に契約されており、対応するフォルダは「Ｆ０００２」である。カメラ識別子「０００４」と端末識別子「ＢＢＡ」とは暫定的に契約されており、対応するフォルダは「Ｆ０００４」である。
【００４４】
識別子対応付けテーブル１０は、識別子対応付け部３０６ａによって作成され、更新されるものである。
（２−２．撮像データ）
図６は、撮像データが蓄積部３０４に記憶される様子を示す概略図である。
図６に示すように、蓄積部３０４内では、各カメラ識別子と対応するフォルダが作成され、フォルダ内に撮像データが記憶されるようになっている。
【００４５】
図６に示す例では、フォルダＦ０００１は、カメラ識別子「０００１」と対応付けられており、フォルダＦ０００１内には、カメラ識別子０００１のカメラが撮像した撮像データ「０１ＡＡ．ｊｐｇ」「０１ＡＢ．ｊｐｇ」・・・が記憶されている。
フォルダＦ０００２は、カメラ識別子「０００２」と対応付けられており、フォルダＦ０００２内には、カメラ識別子０００２のカメラが撮像した撮像データ「０２ＡＡ．ｊｐｇ」「０２ＡＢ．ｊｐｇ」・・・が記憶されている。
【００４６】
フォルダＦ０００４は、カメラ識別子「０００４」と対応付けられており、フォルダＦ０００４内には、カメラ識別子０００４のカメラが撮像した撮像データ「０４ＡＡ．ｊｐｇ」「０４ＡＢ．ｊｐｇ」・・・が記憶されている。
（３．動作）
次に、図７〜１０を参照しながら、撮像データ蓄積装置３００、カメラ２００、及び情報端末６００の動作について説明する。
（３−１．契約時の動作）
まず、情報端末６００とカメラ２００とを対応付けて契約するときの動作について説明する。
【００４７】
ここで説明する動作は、情報端末６００とカメラ２００とがまだ契約されていない場合の動作である。
なお、以降、カメラ識別子と端末識別子とを暫定的に対応付けることを「仮契約」と呼び、正式に対応付けることを「本契約」と呼ぶことがある。
図７〜８は、情報端末６００とカメラ２００との契約時における、情報端末６００、カメラ２００、及び撮像データ蓄積装置３００の動作を示すシーケンス図である。
【００４８】
図７〜８に示すように、まずカメラ２００において、ユーザが入力部２０７から入力操作することで、電源投入を行う（ステップＳ２００）。
電源が投入され起動したカメラ２００は、まず、初期動作として、契約状況問合せ部２０８ａにより、ＲＯＭ２０３ａ内のカメラ識別子とともに契約状況を要求する信号を、撮像データ蓄積装置３００に送信する（ステップＳ２０１）。
【００４９】
契約状況を要求する信号を受けた撮像データ蓄積装置３００は、判定部３０６ｂにより、記憶部３０３内の識別子対応付けテーブル１０を参照し、受信したカメラ識別子の契約状況を検索し（ステップＳ３００）、検索結果である契約状況をカメラ２００に送信する（ステップＳ３０１）。ここでは、まだカメラ２００のカメラ識別子は登録されておらず、また、契約状態にある情報端末２００はないので、契約状況は「未契約」を示す。
【００５０】
契約状況（未契約）を受信したカメラ２００は、報知指示部２０８ｂにより、未契約という契約状況の応じた第１の態様で報知する（ステップＳ２０２）。例えば、ＬＥＤが１秒毎に点滅する、といった所定の態様で報知を行えばよい。
ここで、ユーザが、カメラ２００が第１の態様で報知したことを確認し、入力部６０４から入力操作すると、情報端末６００はブラウザを起動する（ステップＳ１００）。
【００５１】
ユーザが、カメラ２００の本体や包装パッケージに記載されているカメラ識別子を確認し、この識別子を入力部６０４から入力すると、情報端末６００は、契約要求部６０６ａにより、ＲＯＭ６０３ａ内の端末識別子と入力されたカメラ識別子とともに、契約を要求する要求信号を撮像データ蓄積装置３００に送信する（ステップＳ１０１）。
撮像データ蓄積装置３００は、要求信号を受信すると、識別子対応付け部３０６ａにより、受信した端末識別子とカメラ識別子とを暫定的に対応付け、対応付けテーブル１０に登録する（ステップＳ３０２）。また、このカメラ識別子を持つカメラの撮像データを記録するフォルダを作成する。そして、計時部３０５は所定時間Ｔの計時を開始する（ステップＳ３０３）。
【００５２】
計時を開始すると、撮像データ蓄積装置３００は、通知部３０６ｇにより、カメラ２００のカメラ識別子の契約状況を、カメラ２００に送信する（ステップＳ３０４）。契約状況は「仮契約」を示す。
契約状況（仮契約）を受信したカメラ２００は、報知指示部２０８ｂにより、仮契約という契約状況に応じた第２の態様で報知する（ステップＳ２０３）。
【００５３】
例えば、ＬＥＤが２秒ごとに点滅する、といった第１の態様とは異なる所定の態様で報知を行えばよい。
ここで、ユーザが、カメラ２００が第２の態様で報知したことを確認し、入力部２０７から撮像を指示する操作をすると、カメラ２００は、撮像部２０４により撮像して画像処理部２０５により撮像データを生成する（ステップＳ２０４）。
【００５４】
カメラ２００は、撮像データ送信指示部２０８ｃにより、ステップＳ２０４で生成した撮像データと、ＲＯＭ２０３ａ内のカメラ識別子とを、撮像データ蓄積装置３００に送信する（ステップＳ２０５）。
撮像データを受信した撮像データ蓄積装置３００は、蓄積実行部３０６ｆにより、蓄積部３０４に撮像データとカメラ識別子とを対応付けて保存し（ステップＳ３０５）、通知部３０６ｇにより、撮像データを保存した旨の信号をカメラ２００に送信する（ステップＳ３０６）。
【００５５】
撮像データ保存の通知を受信したカメラ２００は、報知指示部２０８ｂにより、この通知に応じた第３の態様で報知する（ステップＳ２０６）。
例えば、ＬＥＤが３秒ごとに点滅する、といった第１の態様及び第２の態様とは異なる所定の態様で報知を行えばよい。
ここで、ユーザが、カメラ２００が第３の態様で報知したことを確認し、入力部６０４から撮像データを要求する操作をすると、情報端末６００は、ＲＯＭ６０３ａ内の端末識別子とともに撮像データを要求する信号を、撮像データ蓄積装置３００に送信する（ステップＳ１０２）。
【００５６】
撮像データの要求を受信した撮像データ蓄積装置３００は、カメラ特定部３０６ｄにより、受信した端末識別子と対応するカメラ識別子を、識別子対応付けテーブルの中から特定し（ステップＳ３０７）、さらに、撮像データ特定部３０６ｅにより、ステップＳ３０７で特定したカメラ識別子と対応する撮像データを蓄積部３０４の中から特定する（ステップＳ３０８）。
【００５７】
撮像データ蓄積装置３００は、特定した撮像データを情報端末６００に送信する（ステップＳ３０９）。
情報端末６００は受信した撮像データを、表示部６０５で表示する（ステップＳ１０３）。
ここで、ユーザが、表示部６０５に表示された撮像データを確認し、納得して契約を望み、入力部６０４から契約を要求する操作をすると、情報端末６００は、ＲＯＭ６０３ａ内の端末識別子とともに契約を要求する信号を、撮像データ蓄積装置３００に送信する（ステップＳ１０４）。
【００５８】
契約要求を受信した撮像データ蓄積装置３００は、カメラ特定部３０６ｄにより、受信した端末識別子と対応するカメラ識別子を、識別子対応付けテーブル１０の中から特定し（ステップＳ３１０）、特定したカメラ識別子と端末識別子（仮契約状態のカメラ識別子と端末識別子）を正式に対応付け、識別子対応付けテーブル１０を更新する（ステップＳ３１１）。
【００５９】
正式な対応付けが完了すると、撮像データ蓄積装置３００は、計時部３０５による計時を停止し（ステップＳ３１２）、カメラ２００の契約状況をカメラ２００に送信する（ステップＳ３１３）。契約状況は「本契約」を示す。
契約状況（本契約）を受信したカメラ２００は、報知指示部２０８ｂにより、本契約という契約状況に応じた第４の態様で報知する（ステップＳ２０７）。
【００６０】
例えば、ＬＥＤが常時点灯する、といった第１の態様、第２の態様、及び第３の形態とは異なる所定の態様で報知を行えばよい。
なお、ステップＳ３０３にて計時部３０５が計時を開始した後、所定の時間Ｔを計時し終わった時は、計時部３０５はその旨を制御部３０６へ通知し、この通知を受け識別子対応付け部３０６ａは、ステップＳ３０２で暫定的に対応付けたカメラ識別子と端末識別子の対応付けを解除する。すなわち、ステップＳ２０３にて計時部３０５が計時を開始した後、所定の時間Ｔ計時し終わるまでに、撮像データ蓄積装置３００が正式な対応付け（ステップＳ３１１）を完了しない場合は、暫定的な対応付けが解除される。
【００６１】
以上のように、撮像データ蓄積装置３００が情報端末６００とカメラ２００との対応付けを行うことで、撮像データ蓄積装置３００は、カメラ識別子ごとに撮像データを蓄積していくとともに、カメラ識別子と端末識別子とを対応付けて記憶する。これにより、撮像データ蓄積装置３００は、カメラ２００と契約関係のある情報端末６００からの求めに応じて、蓄積している撮像データを情報端末６００に送信することができる。カメラ２００の撮像データは撮像データ蓄積装置３００に蓄積されることから、カメラ２００が破壊されたりして機能不全に陥ったとしても、情報端末６００は、カメラ２００が過去に撮像した撮像データを撮像データ蓄積装置３００から取得することができる。
【００６２】
また、撮像データ蓄積装置３００はいったん情報端末６００とカメラ２００とを仮契約状態にし、仮契約時にカメラ２００の撮像データを一度情報端末６００側で確認した後、本契約状態にする。これにより、いったんユーザは、情報端末６００からカメラ２００の撮像データを確認し、カメラで撮影している物体と情報端末に表示している撮影データとの対応付けに問題がないかなどを確認して納得した場合にのみ本契約に進むことができる。
【００６３】
また、カメラ２００は、報知部２０６により、未契約時と仮契約時と本契約時とで互いに異なる態様で報知を行うため、ユーザはこれらの報知を確認することで、現在のカメラ２００と情報端末６００との契約状態を知ることができる。
（３−２．撮像時の動作）
次に、カメラ２００と情報端末６００とが本契約後の、カメラ２００が撮像するときの動作について説明する。
【００６４】
図９は、カメラ２００と情報端末６００との本契約後における、カメラ２００が撮像するときの、カメラ２００と撮像データ蓄積装置３００の動作を示すシーケンス図である。
図９に示すように、電源投入された（ステップＳ４００）カメラ２００は、初期動作として、契約状況問合せ部２０８ａにより、ＲＯＭ２０３ａ内のカメラ識別子とともに契約状況を要求する信号を、撮像データ蓄積装置３００に送信する（ステップＳ４０１）。
【００６５】
契約状況を要求する信号を受けた撮像データ蓄積装置３００は、判定部３０６ｂにより、記憶部３０３内の識別子対応付けテーブル１０を参照し、受信したカメラ識別子の契約状況を検索し（ステップＳ５００）、検索結果である契約状況をカメラ２００に送信する（ステップＳ５０１）。ここでは、契約状況は「本契約」を示す。
契約状況（本契約）を受信したカメラ２００は、予め設定された所定の周期で撮像を行い（ステップＳ４０２）、撮像データとともにＲＯＭ２０３ａ内のカメラ識別子を撮像データ蓄積装置３００に送信する（ステップＳ４０３）。
【００６６】
撮像データ蓄積装置３００は、受信したカメラ識別子に対応付けられたフォルダを識別子対応付けテーブル１０の中から特定し、蓄積部３０４内の特定したフォルダに受信した撮像データを保存する（ステップＳ５０２）。
撮像データの保存後、撮像データ蓄積装置３００は、通知部３０６ｇにより、撮像データ保存の旨の信号をカメラ２００に送信する（ステップＳ５０３）。
【００６７】
以上のように、カメラ２００と撮像データ蓄積装置３００が動作することで、撮像データ蓄積装置３００は、カメラ２００が撮像した撮像データを、カメラ２００のカメラ識別子と対応付けて蓄積していく。これにより、カメラ２００が破壊されるなどして機能不全となったとしても、カメラ２００が過去に撮像したデータは撮像データ蓄積装置３００内で保全され、カメラ２００ごとの撮像データを外部から取得することができる。
（３−３．撮像データ取得時の動作）
次に、カメラ２００と情報端末６００とが本契約後の、情報端末６００がカメラ２００の撮像データを取得するときの動作について説明する。
【００６８】
図１０は、カメラ２００と情報端末６００との本契約後における、情報端末６００がカメラ２００の撮像データを取得するときの、カメラ２００と撮像データ蓄積装置３００の動作を示すシーケンス図である。
図１０に示すように、ユーザが入力部６０４への入力指示により、ブラウザを起動して（ステップＳ６００）所定の操作を行うと、情報端末６００は、撮像データ要求部６０６ｂにより、ＲＯＭ６０３ａ内の端末識別子とともに、撮像データを要求する信号を撮像データ蓄積装置３００に送信する（ステップＳ６０１）。
【００６９】
撮像データの要求を受けた撮像データ蓄積装置３００は、判定部３０６ｂにより、受信した端末識別子が本契約状態であるか否かを、識別子対応付けテーブル１０から判定する（ステップＳ７００）。
本契約状態であれば、撮像データ蓄積装置３００はさらに、カメラ特定部３０６ｄにより、受信した端末識別子と対応付けられたカメラ識別子を識別子対応付けテーブル１０の中から特定する（ステップＳ７０１）とともに、撮像データ特定部３０６ｅにより、カメラ識別子と対応する撮像データを蓄積部３０４の中から特定する（ステップＳ７０２）。そして、特定した撮像データを情報端末６００に送信する（ステップＳ７０３）。
【００７０】
情報端末６００は、受信した撮像データを、表示部６０５で表示する（ステップＳ６０２）。
以上のように、情報端末６００と撮像データ蓄積装置３００が動作することで、情報端末６００は、カメラ２００の撮像データを撮像データ蓄積装置３００から取得して表示することができる。
（４．変形例）
以上、実施形態に基づいて本発明の通信システムについて説明したが、これには種々の変形を加えることが可能である。
（１）情報端末６００が複数のカメラ２００と対応付けられている場合、撮像データ蓄積装置３００は、複数のカメラ２００のうち、情報端末６００のユーザが希望するカメラの撮像データのみを送信するようにしてもよい。
【００７１】
図１１は、変形例における、情報端末６００と撮像データ蓄積装置３００の動作を示すシーケンス図である。
なお、実施形態で説明した動作と同様の動作については同じ符号を付している。
図１１に示すように、情報端末６００からの撮像データ要求（ステップＳ６００〜Ｓ６０１）に応じて、撮像データ蓄積装置３００は、情報端末６００の契約状況を検索して（ステップＳ７００）情報端末６００と対応付けられたカメラ２００を特定する（ステップＳ７０１）。
【００７２】
ここで複数のカメラ２００が特定された場合、撮像データ蓄積装置３００は、各カメラ２００のカメラ識別子とともにカメラの選択を要求する信号を情報端末６００に送信する（ステップＳ７０４）。
カメラ選択要求を受けた情報端末６００は、カメラ識別子を表示部６０５で表示し、入力部６０４への入力を受付ける（ステップＳ６０３）。
【００７３】
ユーザが希望するカメラ識別子を選択する操作を入力部６０４から行うと、情報端末６００は、選択結果であるカメラ識別子を撮像データ蓄積装置３００に送信する（ステップＳ６０４）。
撮像データ蓄積装置３００は、撮像データ特定部３０６ｅにより、受信したカメラ識別子と対応する撮像データを蓄積部３０４から特定し（ステップＳ７０１）、情報端末６００に送信する（ステップＳ７０３）。
以上のように、情報端末６００と撮像データ蓄積装置３００が動作することで、情報端末６００が複数のカメラ２００と対応付けられている（契約されている）場合に、情報端末６００は、状況に応じてユーザが希望するカメラの撮像データのみを取得することができる。
（２）実施形態では、撮像データ蓄積装置３００は、情報端末６００から撮像データの要求があった（ステップＳ６０１）とき、情報端末６００と対応付けられたカメラ２００の撮像データを特定し（ステップＳ７０２）、特定した撮像データを全て送信する（ステップＳ７０３）ようになっている。
【００７４】
しかし、これに限らず、撮像データ蓄積装置３００は例えば、ステップＳ７０２において、情報端末６００と対応付けられていたカメラ２００の撮像データのうち、最も新しく蓄積部３０４に記憶された撮像データ（最新の撮像データ）を特定して送信するようにしてもよいし、例えば所定個数の撮像データを選び出して送信するようにしてもよい。
（３）実施形態では、カメラ２００のカメラ識別子がカメラ２００本体又は包装パッケージに記載されて、ユーザがこれを入力部から入力する例を挙げて説明しているが、これに限定されるものではない。
【００７５】
例えば、カメラ識別子をＱＲコード（二次元コード）化してカメラ２００又は包装パッケージに記載すれば、カメラでＱＲコードを撮像することでカメラ識別子の入力になる。この場合、入力部６０４をカメラとすればよい。
（４）実施形態では、入力部２０７からの操作入力によって電源投入する例を挙げて説明したが、これに限定されるものではない。
【００７６】
例えば、カメラに接続する電源コードを電源コンセントに接続することで電源投入を行うようにしてもよい。
（５）実施形態では、カメラ２００は、予め設定された所定の周期で撮像を行う例を挙げて説明したが、これに限定されるものではない。
例えば、カメラ２００に、外部の状況を監視するためのセンサを備え、このセンサが異常を検知したときに撮像するようにしてもよい。
【産業上の利用可能性】
【００７７】
本発明は、ネットワークを介してカメラが撮像した撮像データを情報端末で表示するための通信システムに適用可能であり、カメラが機能不全となったとしてもカメラが過去に撮像した撮像データを情報端末で表示することができる点で有用な技術である。
【図面の簡単な説明】
【００７８】
【図１】本発明に係る通信システムの構成を示す概略図である。
【図２】撮像データ蓄積装置３００の構成を示すブロック図である。
【図３】カメラ２００の構成を示すブロック図である。
【図４】情報端末６００の構成を示すブロック図である。
【図５】識別子対応付けテーブル１０のデータ構造を示す概略図である。
【図６】撮像データが蓄積部３０４に記憶される様子を示す概略図である。
【図７】情報端末６００とカメラ２００との契約時における、情報端末６００、カメラ２００、及び撮像データ蓄積装置３００の動作を示すシーケンス図である。
【図８】情報端末６００とカメラ２００との契約時における、情報端末６００、カメラ２００、及び撮像データ蓄積装置３００の動作を示すシーケンス図である。
【図９】カメラ２００と情報端末６００との本契約後における、カメラ２００が撮像するときの、カメラ２００と撮像データ蓄積装置３００の動作を示すシーケンス図である。
【図１０】カメラ２００と情報端末６００との本契約後における、情報端末６００がカメラ２００の撮像データを取得するときの、カメラ２００と撮像データ蓄積装置３００の動作を示すシーケンス図である。
【図１１】変形例における、情報端末６００と撮像データ蓄積装置３００の動作を示すシーケンス図である。
【符号の説明】
【００７９】
１００                  インターネット網
２００                  カメラ
２０１                  ネットワークインターフェース
２０２                  通信部
２０３                  記憶部
２０４                  撮像部
２０５                  画像処理部
２０６                  報知部
２０７                  入力部
２０８                  制御部
２０８ａ                契約状況問合せ部
２０８ｂ                報知指示部
２０８ｃ                撮像データ送信指示部
３００                  撮像データ蓄積装置
３０１                  ネットワークインターフェース
３０２                  通信部
３０３                  記憶部
３０４                  蓄積部
３０５                  計時部
３０６                  制御部
３０６ａ                識別子対応付け部
３０６ｂ                判定部
３０６ｃ                情報端末特定部
３０６ｄ                カメラ特定部
３０６ｅ                撮像データ特定部
３０６ｆ                蓄積実行部
３０６ｇ                通知部
３０６ｈ                撮像データ送信指示部
４００                  移動体通信制御局
５００                  基地局
６００                  情報端末
６０１                  アンテナ
６０２                  通信部
６０３                  記憶部
６０４                  入力部
６０５                  表示部
６０６                  制御部
６０６ａ                契約要求部
６０６ｂ                撮像データ要求部
【図１】
2008177848.tif 000003
【図２】
2008177848.tif 000004
【図３】
2008177848.tif 000005
【図４】
2008177848.tif 000006
【図５】
2008177848.tif 000007
【図６】
2008177848.tif 000008
【図７】
2008177848.tif 000009
【図８】
2008177848.tif 000010
【図９】
2008177848.tif 000011
【図１０】
2008177848.tif 000012
【図１１】
2008177848.tif 000013